(57)【要約】【課題】小型化を図りつつ、遊技者に大きなインパクトを与えることができる遊技機の操作装置を提供すること。【解決手段】遊技機７の操作装置１は、遊技機７に設けられた支持体２と、支持体２に対して回動可能な回動体４とを備える。回動体４の回動中心部４１は、その中心軸線Ｃが遊技機７の左右方向Ｗに平行になる状態で、初期位置４０１にある回動体４の前後方向Ｄの中心位置Ｏよりも前側に位置している。回動位置４０２にある回動体４の、回動中心部４１の中心Ｃから前後方向Ｄの前側への突出量Ｔ２は、初期位置４０１にある回動体４の、回動中心部４１の中心Ｃから前後方向Ｄの前側への突出量Ｔ１に比べて大きい。【選択図】図３
2018068600.tif 000002
【特許請求の範囲】
【請求項１】
遊技機の前面に設けられた操作装置であって、
前記遊技機に設けられた支持体と、前記支持体に対して回動可能な回動体とを備え、
前記回動体は、前記回動体の前後方向の後側に操作入力部位が位置する初期位置と、前記初期位置から所定量回動した位置であって、前記操作入力部位への遊技者による操作入力を受付け可能な回動位置との２つの位置に往復して回動可能であり、
前記回動体の回動中心部は、前記初期位置にある前記回動体の前記前後方向の中心位置よりも前側に位置しており、
前記回動位置にある前記回動体の、前記回動中心部の中心から前記前後方向の前側への突出量は、前記初期位置にある前記回動体の、前記回動中心部の中心から前記前後方向の前側への突出量に比べて大きい、遊技機の操作装置。
【請求項２】
前記回動体は、
前記支持体に対して前記回動中心部を介して回動可能に設けられた回動ベース部と、
前記初期位置において前記遊技機内に収納される前記操作入力部位を有し、前記回動位置において、前記操作入力部位を前記遊技機の外部に出現させるとともに、前記回動ベース部に対してスライド可能なスライド操作部とを有し、
前記スライド操作部は、前記回動ベース部と前記スライド操作部とに係合する付勢部材によって、スライドする前の復帰位置に付勢されており、かつ、前記操作入力部位への遊技者による操作入力として、前記付勢部材の付勢力に抗して、前記復帰位置から、前記回動ベース部に対して位置ずれしたスライド位置にスライドさせるスライド操作入力が可能である、請求項１に記載の遊技機の操作装置。
【請求項３】
前記回動中心部は、前記支持体によって回動支持される回動軸部によって構成されており、
前記支持体には、モータと、前記回動軸部に当接して前記モータの回転力を前記回動軸部へ伝達するための伝達軸部とが設けられており、
前記回動軸部の外周には、第１突起部及び第２突起部が径方向の外方に突出して設けられており、
前記伝達軸部には、前記回動体が前記初期位置にあるときに前記第１突起部と対向する第１係止部と、前記回動体が前記回動位置にあるときに前記第２突起部と対向する第２係止部とが設けられており、
前記初期位置にある前記回動体は、
前記モータの回転力が前記伝達軸部を介して前記回動軸部に伝達されるときには、前記伝達軸部の前記第１係止部が前記回動軸部の前記第１突起部に係止されずに、前記初期位置から前記回動位置への回動が許容され、
一方、前記回動体が外力を受けるときには、前記回動軸部の前記第１突起部が前記伝達軸部の前記第１係止部に係止されて、前記初期位置から前記回動位置への回動が阻止されるよう構成されており、
前記回動位置にある前記回動体は、
前記モータの回転力が前記伝達軸部を介して前記回動軸部に伝達されるときには、前記伝達軸部の前記第２係止部が前記回動軸部の前記第２突起部に係止されずに、前記回動位置から前記初期位置への回動が許容され、
一方、前記回動体が外力を受けるときには、前記回動軸部の前記第２突起部が前記伝達軸部の前記第２係止部に係止されて、前記回動位置から前記初期位置への回動が阻止されるよう構成されている、請求項１又は２に記載の遊技機の操作装置。
【発明の詳細な説明】
【技術分野】
【０００１】
本発明は、遊技機の前面に設けられた操作装置に関する。
【背景技術】
【０００２】
パチンコ遊技機等の遊技機においては、遊技の演出を行う際に、遊技者によって操作が可能である種々の操作装置が用いられる。操作装置は、遊技における所定の条件が満たされたときに操作可能になるものが多い。例えば、特許文献１の遊技機用操作装置は、通常演出時に操作することができる連打スイッチと、特別演出時にのみ操作することが可能となるレバー及びチャンススイッチとを有する。レバーは、通常演出時には、操作できないようにロックされており、特別演出時にロックが解除されて、回動操作可能になる。チャンススイッチは、通常操作時には、レバーに隠されて操作することができず、特別操作時にレバーが操作されたときに出現して、押込み操作可能になる。
【先行技術文献】
【特許文献】
【０００３】
【特許文献１】特開２０１５−８４８８１号公報
【発明の概要】
【発明が解決しようとする課題】
【０００４】
操作装置は、遊技機における占有スペースを小さくするために小型化が望まれる一方、インパクト（迫力）のある演出の操作が可能であることも望まれる。インパクトのある演出の操作を可能にするためには、操作装置を大きくするか、操作装置の可動部を大きく可動させるか等が考えられる。しかし、このような操作装置の工夫は、小型化とは逆行することになる。
【０００５】
特許文献１の遊技機用操作装置によれば、レバーを回動操作したときに初めてチャンススイッチが出現することによるインパクトはある。しかし、レバーが回動することによって、遊技機用操作装置の外観に生じる変化は僅かであり、特別な演出という意味でのインパクトは大きくない。
【０００６】
本発明は、かかる課題に鑑みてなされたもので、小型化を図りつつ、遊技者に大きなインパクトを与えることができる遊技機の操作装置を提供しようとして得られたものである。
【課題を解決するための手段】
【０００７】
本発明の一態様は、遊技機の前面に設けられた操作装置であって、
前記遊技機に設けられた支持体と、前記支持体に対して回動可能な回動体とを備え、
前記回動体は、前記回動体の前後方向の後側に操作入力部位が位置する初期位置と、前記初期位置から所定量回動した位置であって、前記操作入力部位への遊技者による操作入力を受付け可能な回動位置との２つの位置に往復して回動可能であり、
前記回動体の回動中心部は、前記初期位置にある前記回動体の前記前後方向の中心位置よりも前側に位置しており、
前記回動位置にある前記回動体の、前記回動中心部の中心から前記前後方向の前側への突出量は、前記初期位置にある前記回動体の、前記回動中心部の中心から前記前後方向の前側への突出量に比べて大きい、遊技機の操作装置にある。
【発明の効果】
【０００８】
前記遊技機の操作装置においては、支持体に対して回動可能な回動体の回動中心部の位置に工夫をしている。
具体的には、回動体の回動中心部は、初期位置にある回動体の前後方向の中心位置よりも前側に位置している。そして、この構成及び回動体の回動位置の設定により、回動位置にある回動体の、回動中心部の中心から前後方向の前側への突出量が、初期位置にある回動体の、回動中心部の中心から前後方向の前側への突出量に比べて大きくなるようにしている。また、回動体は、初期位置と回動位置との２つの位置に往復して回動可能である。回動体が初期位置にあるときには、回動体の前後方向の後側に操作入力部位が位置し、回動体が回動位置にあるときには、操作入力部位への遊技者による操作入力が受付け可能になる。
【０００９】
このような回動体の構成により、初期位置にある回動体が回動位置に回動したときには、回動体の操作入力部位への遊技者による操作入力が受付け可能になるとともに、回動体の操作入力部位が前後方向の前側へ大きく突出する。そのため、回動体が回動位置に回動したときには、遊技者に大きなインパクトを与えることができる。一方、回動体が初期位置にあるときには、遊技機における操作装置全体の前後方向の前側への突出量が小さく、操作装置の小型化を図ることができる。
【００１０】
それ故、前記遊技機の操作装置によれば、小型化を図りつつ、遊技者に大きなインパクトを与えることができる。
【００１１】
なお、「初期位置にある回動体の前後方向の中心位置」とは、初期位置にある回動体を左右方向から見たときに、回動体の前後方向の全長における中心位置のことをいう。
また、「回動位置又は初期位置にある前記回動体の、回動中心部の中心から前後方向の前側への突出量」とは、回動体を左右方向から見たときに、回動中心部の中心から回動体の前端までの前後方向に沿った長さのことをいう。
【図面の簡単な説明】
【００１２】
【図１】実施形態にかかる、回動体が初期位置にある、遊技機の操作装置を示す斜視図。
【図２】実施形態にかかる、回動体が回動位置にある、遊技機の操作装置を示す斜視図。
【図３】実施形態にかかる、回動体が初期位置にある場合、及び回動体が回動位置にあってスライド操作部が復帰位置にある場合の、遊技機の操作装置を示す説明図。
【図４】実施形態にかかる、回動体が回動位置にあってスライド操作部が復帰位置にある場合、及び回動体が回動位置にあってスライド操作部がスライド位置にある場合の、遊技機の操作装置を示す説明図。
【図５】実施形態にかかる、遊技機の操作装置を上方から見た状態で示す断面説明図。
【図６】実施形態にかかる、回動体が初期位置にある、遊技機の操作装置について、モータユニットの周辺を示す側面図。
【図７】実施形態にかかる、回動体が回動位置にある、遊技機の操作装置について、モータユニットの周辺を示す側面図。
【図８】実施形態にかかる、回動体が回動位置にあってスライド操作部が復帰位置にある、遊技機の操作装置について、スライド操作部と回動ベース部との係合部分の周辺を示す側面図。
【図９】実施形態にかかる、回動体が回動位置にあってスライド操作部がスライド位置にある、遊技機の操作装置について、スライド操作部と回動ベース部との係合部分の周辺を示す側面図。
【図１０】実施形態にかかる、第２伝達軸部と回動軸部との周辺を示す斜視図。
【発明を実施するための形態】
【００１３】
前述した遊技機の操作装置にかかる好ましい実施形態について、図面を参照して説明する。
遊技機７の操作装置１は、図１〜図４に示すように、遊技機７の前面に設けられ、遊技の演出に関連して操作されるものである。操作装置１は、遊技機７に設けられた支持体２と、支持体２に対して回動可能な回動体４とを備える。回動体４は、初期位置４０１と、初期位置４０１から所定量回動した位置である回動位置４０２との２つの位置に往復して回動可能である。初期位置４０１にある回動体４においては、回動体４の前後方向Ｄの後側に位置する操作入力部位６２０が遊技機７の内部に隠されている。また、回動位置４０２にある回動体４においては、操作入力部位６２０が遊技機７の外部に現れ、操作入力部位６２０への遊技者による操作入力が受付け可能になる。
【００１４】
図５に示すように、回動体４の回動中心部４１は、その中心軸線Ｃが遊技機７の左右方向Ｗに平行になる状態で、初期位置４０１にある回動体４の前後方向Ｄの中心位置Ｏよりも前側に位置している。図３、図５においては、回動体４の前後方向Ｄの全長をＬとして、全長Ｌの半分の長さＬ／２と、中心位置Ｏとを示す。図１、図２においては、前後方向Ｄの前側を符号Ｄ１によって示し、後側を符号Ｄ２によって示す。
【００１５】
図３に示すように、回動位置４０２にある回動体４の、回動中心部４１の中心Ｃから前後方向Ｄの前側への突出量Ｔ２は、初期位置４０１にある回動体４の、回動中心部４１の中心Ｃから前後方向Ｄの前側への突出量Ｔ１に比べて大きい。同図においては、各突出量Ｔ１，Ｔ２を、回動中心部４１の中心Ｃから回動体４の前端までの前後方向Ｄに沿った長さとして示す。
【００１６】
回動体４は、初期位置４０１から回動位置４０２へ回動するときには、正方向Ｒ１への回動として、操作入力部位６２０が遊技機７の上下方向Ｈにおける中心側Ｈ１へ回動を開始した後、停止する。また、回動体４は、回動位置４０２から初期位置４０１へ回動するときには、正方向Ｒ１とは逆の逆方向Ｒ２へ回動した後、停止する。
【００１７】
以下に、本形態の遊技機７の操作装置１について説明する。
本形態の遊技機７は、パチンコ遊技を行うパチンコ遊技機であり、ホールに複数台が並んで設置される。詳細は省略するが、遊技機７は、パチンコ遊技を行う遊技盤が配置された本体枠と、本体枠を開閉可能に支持する外枠と、本体枠の前側に開閉可能に支持された前扉７２とを備える。そして、前扉７２の前面の下側部分には、球皿ユニット７１が配置されている。
【００１８】
図１、図２に示すように、球皿ユニット７１は、前扉７２とともに本体枠に対して開閉可能である。球皿ユニット７１には、賞球として流下する遊技球を貯留する上皿７１１と、上皿７１１から溢れ出す遊技球を貯留する下皿７１２とが形成されている。前扉７２における、球皿ユニット７１の配置位置に対する右側の位置には、遊技盤の遊技領域へ遊技球を発射させるために遊技者が操作する発射ハンドル７２１が設けられている。
【００１９】
操作装置１は、パチンコ遊技を行う際に操作される演出用のものであり、遊技機７の下部に配置された球皿ユニット７１に配置されている。操作装置１は、球皿ユニット７１の左右方向Ｗの中央部において、回動体４の回動中心部４１の中心軸線Ｃが左右方向Ｗに平行になる状態で配置されている。操作装置１における回動体４は、遊技機７の制御装置による指令を受けて、パチンコ遊技中に所定の条件が満たされたときに初期位置４０１から回動位置４０２へ回動するよう構成されている。
【００２０】
図１に示すように、回動体４の前後方向Ｄの前側に位置する前側表面６１１は、回動体４が初期位置４０１にあるときに露出しており、球皿ユニット７１の意匠表面の一部を形成する。初期位置４０１にある回動体４の前側表面６１１には、遊技者によって押込み操作（操作入力）が可能な、別の操作入力部位としての押ボタンスイッチ６１２が設けられている。回動体４が初期位置４０１にあるときには、パチンコ遊技の演出において、遊技者による押ボタンスイッチ６１２の押込み入力が可能である。
【００２１】
図２、図３に示すように、回動体４における前側表面６１１以外の部位は、回動体４が初期位置４０１にある状態において、球皿ユニット７１の内部に収納されている。初期位置４０１にある回動体４における視認できない部位には、遊技者が把持することができるハンドル部６２が設けられている。ハンドル部６２は、遊技者による操作入力を受ける操作入力部位６２０を構成する。
【００２２】
図６、図７に示すように、本形態の回動体４は、左右方向Ｗに開口する開口穴６０を中心部分に有する環形状に形成されている。回動体４は、環形状の回動体４の前側に位置する前部６１と、前部６１と開口穴６０を介して配置された後部としてのハンドル部６２とを有する。回動中心部４１は、前部６１に設けられている。回動体４が回動位置４０２に回動した状態において、ハンドル部６２の軸線方向は、上下方向Ｈに略平行に配置される。
【００２３】
図３、図７に示すように、回動中心部４１が回動体４の前部６１に設けられていることにより、回動体４が回動位置４０２にあるときには、ハンドル部６２は、球皿ユニット７１の前面よりも前後方向Ｄの前側に突出する。これにより、遊技者がハンドル部６２を把持しやすくすることができる。また、回動位置４０２にある回動体４の前後方向Ｄの後方には、初期位置４０１にある回動体４が配置されていたスペースによって、上下方向Ｈに向けた開口スペースＳが形成される。
【００２４】
図８、図９に示すように、回動体４は、回動位置４０２に回動した状態において、支持体２に回動支持される部位を除く全体が、遊技者によってスライド操作可能になる。回動体４は、回動位置４０２におけるスライド操作を可能にするために、支持体２に回動支持される部位である回動ベース部５と、回動位置４０２において回動ベース部５に対してスライド可能なスライド操作部６とを有する。回動ベース部５は、支持体２に対して回動中心部４１を介して回動可能に設けられている。操作入力部位６２０は、スライド操作部６に設けられている。スライド操作部６の操作入力部位６２０は、回動体４が初期位置４０１にあるときに遊技機７の球皿ユニット７１内に収納されており、回動体４が回動位置４０２にあるときに球皿ユニット７１の外部に出現する。
【００２５】
回動ベース部５及びスライド操作部６を有する回動体４の構成により、遊技者は、回動位置４０２にある回動体４のハンドル部６２を把持したままで、回動体４の略全体をスライド操作して、パチンコ遊技の演出における操作入力を行うことができる。これにより、遊技者は、回動位置４０２にある回動体４の操作をダイナミックに行うことができ、パチンコ遊技の趣向性を高めることができる。
【００２６】
図８に示すように、スライド操作部６は、回動体４が初期位置４０１及び回動位置４０２のいずれにある状態においても、回動ベース部５とスライド操作部６とに係合する付勢部材としての引張バネ５４によって、スライドする前の復帰位置６０１に付勢されている。回動体４は、スライド操作部６が復帰位置６０１にある状態において、初期位置４０１と回動位置４０２との間を往復して回動することができる。図９に示すように、スライド操作部６は、遊技者によるハンドル部６２への操作入力としてのスライド操作入力を受け付けるときには、引張バネ５４の付勢力に抗して、復帰位置６０１から、回動ベース部５に対して位置ずれしたスライド位置６０２にスライドする。
【００２７】
図８、図９に示すように、本形態のスライド操作部６は、回動ベース部５に対して、スライド操作としての押込み操作が可能である。この押込み操作は、遊技機７の前後方向Ｄの後側に向けてスライドさせる操作であり、図９において符号Ｕによって示す。回動ベース部５とスライド操作部６との間には、回動ベース部５に対するスライド操作部６のスライドを案内するための複数の案内部５６，６６が設けられている。スライド操作部６は、回動位置４０２にある回動体４の前後方向Ｄの後方に開口スペースＳが形成されることにより、この開口スペースＳを利用して、前後方向Ｄの後側へスライドさせることができる。
【００２８】
なお、複数の案内部５６のうちの一つには、回動軸部５１が一体的に形成されている。回動ベース部５の複数の案内部５６とスライド操作部６の複数の案内部６６とが係合していることによって、回動ベース部５とスライド操作部６とが組み合わさっており、回動ベース部５が回動するときには、回動ベース部５とともにスライド操作部６も回動する。また、回動体４が回動位置４０２にあるときには、複数の案内部５６と複数の案内部６６との係合により、回動ベース部５に対してスライド操作部６が位置ずれするようにスライドする。複数の案内部５６，６６の係合を利用することにより、スライド操作部６を含む回動体４の回動動作と、スライド操作部６のスライド操作とを、コンパクトな構造によって実現している。
【００２９】
回動ベース部５には、遊技者が初期位置４０１にあるスライド操作部６を押込み操作したときに、スライド位置６０２まで押し込まれたことの感触（クリック感）を遊技者に伝えるためのカム５２が回動可能に配置されている。カム５２は、バネ５３による付勢力を受けて定位置に付勢されている。スライド操作部６には、回動ベース部５に対して押し込んだ（スライドさせた）ときに、カム５２の当接部５２１に当接して、カム５２をバネ５３の付勢力に抗して定位置から回動させるための突起部６７が形成されている。
【００３０】
カム５２が定位置にあるときには、カム５２の当接部５２１は、回動ベース部５に対してスライド操作部６を押し込む際の突起部６７の軌道上に配置されている。遊技者が、スライド操作部６を押し込むときには、突起部６７が当接部５２１に当接して、カム５２がバネ５３の付勢力に抗して定位置から回動した後、突起部６７が当接部５２１を乗り越えたときの感触が遊技者に伝わるようになっている。図８、図９においては、カム５２が定位置にある状態を示し、図９においては、カム５２が回動したときの状態を符号５２Ａによって示す。
【００３１】
また、スライド操作部６内には、スライド操作部６の押込み操作を促すとき、スライド操作部６が押し込まれたとき等に、スライド操作部６を振動させるための振動モータ６４が配置されている。スライド操作部６内には、押ボタンスイッチ６１２、ハンドル部６２等を発光させるためのＬＥＤ（発光ダイオード）等の発光体が配置されている。ハンドル部６２においては、例えば、図２の符号６２１で示す部位を発光させることができる。なお、ハンドル部６２の一部（例えば符号６２１で示す部位）には、別途、押ボタンスイッチを設け、この押ボタンスイッチを別の操作入力部位として機能させることもできる。
【００３２】
図３、図５に示すように、回動体４の回動中心部４１は、回動体４に設けられた、支持体２によって回動支持される回動軸部５１によって構成されている。支持体２は、板金から構成されている。支持体２は、回動体４の左右方向Ｗの両側に配置されており、回動体４の回動軸部５１を左右方向Ｗの両側から回動支持している。支持体２には、回動軸部５１を回動支持するための軸受２１が設けられている。なお、支持体２に回動軸部５１を設けるとともに、回動体４の回動中心部４１を軸受２１によって構成することもできる。本形態の回動軸部５１は、回動体４の左右方向Ｗの両側に分割して形成されている。各回動軸部５１は中空軸形状を有しており、回動体４に設けられる種々の電気部品の配線を、各回動軸部５１内の左右方向Ｗの中心側から外側へ通して、支持体２の側へ引き出すことが可能になっている。
【００３３】
図６、図７に示すように、各支持体２は、球皿ユニット７１に設けられている。一方の支持体２には、モータ（ステッピングモータ）３１と、回動軸部５１に当接してモータ３１の回転力を回動軸部５１へ伝達するための伝達軸部３２，３３とが設けられている。伝達軸部３２，３３は、モータ３１の回転速度を減速して、回動軸部５１に伝達するものである。回動体４は、モータ３１による駆動を受けて回動するものであり、遊技者によっては回動できないようになっている。
【００３４】
回動軸部５１と伝達軸部３２，３３との間には、初期位置４０１にある回動体４及び回動位置４０２にある回動体４が、遊技者によって不意に回動することを阻止するための回動阻止機構３０が設けられている。回動阻止機構３０は、回動軸部５１に設けられた突起部５１２，５１３と、伝達軸部３３に設けられた係止部３３２，３３３とによって構成されている。
【００３５】
図６、図７に示すように、本形態の伝達軸部３２，３３には、モータ３１の出力軸３１１の回動を受ける第１伝達軸部３２と、第１伝達軸部３２の回転を受けて回動軸部５１を回動させるための第２伝達軸部３３とがある。モータ３１の出力軸３１１には、ねじ歯車（ウォーム）３１２が設けられている。第１伝達軸部３２には、ねじ歯車３１２に噛み合うはすば歯車（ウォームホイール）３２１と、はすば歯車３２１と同軸状の第１歯車３２２とが、第１伝達軸部３２の軸方向に互いにずれた位置に設けられている。第２伝達軸部３３には、第１歯車３２２と噛み合う第２歯車３３１が設けられている。回動軸部５１には、第２歯車３３１と噛み合う第３歯車５１１が設けられている。
【００３６】
ねじ歯車３１２とはすば歯車３２１とによるウォームギヤを用いることにより、小さなスペースにおいて、モータ３１から第１伝達軸部３２への大きな減速比を簡単に得ることができる。そして、仮に、回動体４と支持体２又は球皿ユニット７１との間に遊技者が指を挟むような事態が生じたときには、はすば歯車３２１とねじ歯車３１２の間に発生する摩擦力によってモータ３１が脱調し、遊技者の指に過度の負担が掛からないようにしている。
なお、この遊技者が指を挟むような事態への対応として、モータユニット３には、公知のクラッチ機構を別途設けてもよい。具体的には、回動体４の回動時に回動体４に対して過度な負荷が発生した場合は、クラッチ機構が作用して、モータユニット３におけるモータ３１の回転力が回動体４の回動軸部５１に伝達されないようにすることができる。
【００３７】
図６、図７、図１０に示すように、本形態の回動阻止機構３０は、回動軸部５１の外周において、回動軸部５１の径方向の外方に突出して設けられた第１突起部５１２及び第２突起部５１３と、第２伝達軸部３３における第２歯車３３１の外周において、第２伝達軸部３３の径方向の外方に突出して設けられた第１係止部３３２及び第２係止部３３３とによって構成されている。各突起部５１２，５１３は、回動軸部５１において、第３歯車５１１と同軸状であって第３歯車５１１から回動軸部５１の軸方向にずれた位置に、周囲の外周面よりも突出して設けられている。各係止部３３２，３３３は、第２伝達軸部３３において、第２歯車３３１と同軸状であって第２歯車３３１から第２伝達軸部３３の軸方向にずれた位置に、周囲の外周面よりも突出して設けられている。
【００３８】
回動体４が初期位置４０１にあるときには、図６、図１０に示すように、回動軸部５１の第１突起部５１２と第２伝達軸部３３の第１係止部３３２とが対面して、第１突起部５１２が第１係止部３３２に係止される。回動体４が回動位置４０２にあるときには、図７に示すように、回動軸部５１の第２突起部５１３と第２伝達軸部３３の第２係止部３３３とが対面して、第２突起部５１３が第２係止部３３３に係止される。回動軸部５１の各突起部５１２，５１３と第２伝達軸部３３の各係止部３３２，３３３との係止状態は、第２伝達軸部３３における第２歯車３３１の歯面と回動軸部５１における第３歯車５１１の歯面との噛合い状態と並行して行われる。
【００３９】
図６に示すように、初期位置４０１にある回動体４は、モータ３１の回転力が各伝達軸部３２，３３を介して回動軸部５１に伝達されるときには、第２伝達軸部３３の第１係止部３３２が回動軸部５１の第１突起部５１２に係止されずに、初期位置４０１から回動位置４０２への正方向Ｒ１の回動が許容される。一方、初期位置４０１にある回動体４が、遊技者による回動位置４０２へ回動させようとする外力を受けるときには、回動軸部５１の第１突起部５１２が第２伝達軸部３３の第１係止部３３２に係止されて、初期位置４０１から回動位置４０２への正方向Ｒ１の回動が阻止される。
【００４０】
また、図７に示すように、回動位置４０２にある回動体４は、モータ３１の回転力が各伝達軸部３２，３３を介して回動軸部５１に伝達されるときには、第２伝達軸部３３の第２係止部３３３が回動軸部５１の第２突起部５１３に係止されずに、回動位置４０２から初期位置４０１への逆方向Ｒ２の回動が許容される。一方、回動位置４０２にある回動体４が、遊技者による初期位置４０１へ回動させようとする外力を受けるときには、回動軸部５１の第２突起部５１３が第２伝達軸部３３の第２係止部３３３に係止されて、回動位置４０２から初期位置４０１への逆方向Ｒ２の回動が阻止される。
【００４１】
回動体４は、パチンコ遊技における所定の条件が満たされたときにのみ、遊技機７の制御装置の指令を受けて、初期位置４０１から回動位置４０２へ正方向Ｒ１に回動し、スライド操作部６の押込み操作が可能になるものである。そのため、回動阻止機構３０によって、遊技者の意思によっては回動体４を回動させることができなくしている。回動阻止機構３０の構成により、モータ３１に不要な外力が加わることを防止し、回動体４の故障を回避することができる。
【００４２】
図６に示すように、回動体４が初期位置４０１にあるときに、第１突起部５１２と第１係止部３３２とは、第２伝達軸部３３の径方向に向けて互いに対面する。これにより、遊技者が、初期位置４０１にある回動体４を回動位置４０２へ回動させようとしたときには、回動体４の回動軸部５１における第１突起部５１２から第２伝達軸部３３の第１係止部３３２へは、第２伝達軸部３３の径方向へ力（同図において矢印Ｐで示す。）が加わり、第２伝達軸部３３の周方向へはほとんど力が加わらない。そのため、遊技者の意思によっては、回動体４を初期位置４０１から回動位置４０２へ回動させることはできない。
【００４３】
図７に示すように、回動体４が回動位置４０２にあるときに、第２突起部５１３と第２係止部３３３とは、第２伝達軸部３３の径方向に向けて互いに対面する。これにより、遊技者が、回動位置４０２にある回動体４を初期位置４０１へ回動させようとしたときには、回動体４の回動軸部５１における第２突起部５１３から第２伝達軸部３３の第２係止部３３３へは、第２伝達軸部３３の径方向へ力（同図において矢印Ｐで示す。）が加わり、第２伝達軸部３３の周方向へはほとんど力が加わらない。そのため、遊技者の意思によっては、回動体４を回動位置４０２から初期位置４０１へ回動させることはできない。
【００４４】
図６、図７、図１０に示すように、一方の支持体２には、第２伝達軸部３３に設けられたドッグ部（被検知部）３３４を検出して、回動体４が初期位置４０１にあることを検出する初期位置用センサ３４と、第２伝達軸部３３に設けられたドッグ部３３４を検出して、回動体４が回動位置４０２にあることを検出する回動位置用センサ３５とが設けられている。回動体４は、１２０〜１８０°の角度の範囲内で、初期位置４０１と回動位置４０２との間を回動する。回動体４の回動角度は、ハンドル部６２等の操作入力部位６２０の形状に応じて適宜設定することができる。
【００４５】
図５〜図７に示すように、本形態のモータ３１、各伝達軸部３２，３３及び各センサ３４，３５は、支持体２に取り付けられるベース部材３６に配置されている。そして、ベース部材３６を利用して、モータ３１、各伝達軸部３２，３３及び各センサ３４，３５の組付調整を独立して行うことができるモータユニット３が形成されている。
【００４６】
図８、図９に示すように、回動ベース部５には、スライド操作部６が復帰位置６０１からスライド位置６０２に操作されたことを検出するためのスライド位置用センサ６５が設けられている。スライド操作部６における押ボタンスイッチ６１２は、左右方向Ｗに直交する方向に長い形状に形成されている。図示は省略するが、押ボタンスイッチ６１２が押されたことを検出するスイッチ用センサは、押ボタンスイッチ６１２の長手方向の２ヵ所に設けられている。
【００４７】
図１０に示すように、第２伝達軸部３３における第２歯車３３１の歯面は、回動体４の回動に必要な、第２伝達軸部３３の周方向の部位にのみ形成されており、周方向の全周には形成されていない。また、回動軸部５１における第３歯車５１１の歯面も、回動体４の回動に必要な、回動軸部５１の周方向の部位にのみ形成されており、周方向の全周には形成されていない。回動体４が初期位置４０１にあるときと、回動体４が回動位置４０２にあるときとにおいては、第２伝達軸部３３における第２歯車３３１の歯面と回動軸部５１における第３歯車５１１の歯面との噛み合い状態がなくなる。
【００４８】
そこで、第２伝達軸部３３には、第２歯車３３１及び各係止部３３２，３３３と第２伝達軸部３３の軸方向にずれた位置において、第３歯車５１１に対する第２歯車３３１の噛み合いを補助する補助歯３３５が形成されている。また、回動軸部５１には、第３歯車５１１及び各突起部５１２，５１３と回動軸部５１の軸方向にずれた位置において、第２歯車３３１に対する第３歯車５１１の噛み合いを補助する補助歯５１４が形成されている。第２伝達軸部３３の補助歯３３５及び回動軸部５１の補助歯５１４は、回動体４が初期位置４０１の付近にあるときと回動位置４０２の付近にあるときとにおいて、第２歯車３３１と第３歯車５１１との噛み合いを補助するよう、第２伝達軸部３３及び回動軸部５１のそれぞれに一対に形成されている。
【００４９】
図９、図１０に示すように、回動体４が初期位置４０１から回動位置４０２へ回動するときには、第２伝達軸部３３がモータ３１によって駆動されて、第２伝達軸部３３の第１係止部３３２が、回動軸部５１の第１突起部５１２の表面を滑り、第１係止部３３２と第１突起部５１２とが対面する状態が解除される。次いで、第２伝達軸部３３の補助歯３３５と、回動軸部５１の補助歯５１４とが噛み合い、この噛み合いに追従するようにして、第２伝達軸部３３の第２歯車３３１と、回動軸部５１の第３歯車５１１との噛み合いが開始され、第２伝達軸部３３によって回動軸部５１が回動する。
【００５０】
次いで、回動軸部５１の回動によって回動体４が回動位置４０２に到達した後も、第２伝達軸部３３の回動が少し継続する。そして、第２歯車３３１と第３歯車５１１との噛み合いが解除された後、第２伝達軸部３３の第２係止部３３３が、回動軸部５１の第２突起部５１３と対面する状態が形成される。
また、回動体４が回動位置４０２から初期位置４０１へ回動するときには、回動体４が初期位置４０１から回動位置４０２へ回動するときとは逆の過程を経て、第２伝達軸部３３の第１係止部３３２が、回動軸部５１の第１突起部５１２と対面する状態が形成される。
【００５１】
図３、図４に示すように、回動体４の左右方向Ｗの両側に配置された支持体２には、回動体４の回動及びスライドの動作を案内（ガイド）するための案内ベース２２が設けられている。案内ベース２２には、初期位置４０１と回動位置４０２との間における回動体４の回動を案内する回動案内溝２２１と、復帰位置６０１とスライド位置６０２との間における回動体４のスライドを案内するスライド案内溝２２２とが形成されている。また、回動体４のスライド操作部６には、回動案内溝２２１内及びスライド案内溝２２２内を移動することができる移動軸部６３が設けられている。
【００５２】
回動案内溝２２１は、回動軸部５１の周りに円弧状に形成されており、スライド案内溝２２２は、回動案内溝２２１における、回動位置４０２側となる上側の端部から前後方向Ｄに形成されている。回動体４を回動位置４０２に回動させたときには、移動軸部６３が、円弧状の回動案内溝２２１から外れ、スライド案内溝２２２に案内されることにより、回動体４の復帰位置６０１とスライド位置６０２との間におけるスライド操作が可能になる。案内ベース２２には、回動体４が回動位置４０２から初期位置４０１に回動したときと、スライド操作部６が復帰位置６０１からスライド位置６０２にスライドしたときとにおいて、移動軸部６３が当接するストッパー部材２２３が設けられている。ストッパー部材２２３は、回動案内溝２２１の初期位置４０１側の終端部と、スライド案内溝２２２のスライド位置６０２側の終端部とに対向して設けられている。
【００５３】
次に、パチンコ遊技を行う際の操作装置１の動作、及び作用効果について説明する。
遊技者がパチンコ遊技を始める際には、回動体４は初期位置４０１にあり、遊技者は、パチンコ遊技の演出に応じて、回動体４のスライド操作部６に設けられた押ボタンスイッチ６１２を押込み操作することができる。また、回動体４は初期位置４０１に維持されており、遊技者が回動体４を回動させることはできない。
【００５４】
パチンコ遊技において所定の条件が満たされると、遊技機７の制御装置は、モータ３１を駆動して、回動体４を初期位置４０１から回動位置４０２へ正方向Ｒ１に回動させる。このとき、回動体４は、回動体４の回動中心部４１が、初期位置４０１にある回動体４の前後方向Ｄの中心位置Ｏよりも前側に位置する構成により、球皿ユニット７１内に収納された状態から、球皿ユニット７１の前方へ大きく突出する。回動体４が球皿ユニット７１の前方へ大きく突出することにより、遊技者に、操作装置１の演出操作が拡張されるとのインパクトを与えることができる。また、回動体４が回動位置４０２に回動したときには、スライド操作部６の操作入力部位６２０としてのハンドル部６２が出現する。このハンドル部６２の出現によって、遊技者に与えることができるインパクトがより大きくなる。
【００５５】
そして、回動体４が回動位置４０２にあるときには、遊技者は、スライド操作部６のハンドル部６２を把持し、パチンコ遊技の演出に応じて、スライド操作部６を押込み操作することができる。これにより、パチンコ遊技のダイナミックな演出が可能になり、パチンコ遊技の趣向性を高めることができる。
【００５６】
一方、回動体４が初期位置４０１にあるときには、回動体４は球皿ユニット７１に収納されており、球皿ユニット７１と一体化している。そのため、回動体４が初期位置４０１にあるときには、操作装置１が単独で遊技機７に占めるスペースをほとんどなくすことができる。また、このときには、遊技機７における操作装置１の前後方向Ｄの全長が小さく、操作装置１の小型化を図ることができ、さらに、遊技機７全体の小型化を図ることもできる。
【００５７】
また、操作装置１は球皿ユニット７１に配置されており、回動体４は、初期位置４０１から回動位置４０２へ回動するときには、正方向Ｒ１への回動として、操作入力部位６２０としてのハンドル部６２が遊技機７の上下方向Ｈにおける中心側（上側）Ｈ１へ回動を開始し、所定の角度回動した後、停止する。また、回動体４は、回動位置４０２から初期位置４０１へ回動するときには、逆方向Ｒ２への回動として、ハンドル部６２が遊技機７の上下方向Ｈにおける中心側（上側）Ｈ１へ回動を開始し、所定の角度回動した後、停止する。
【００５８】
これにより、回動中心部４１の中心Ｃからの半径が大きい、回動体４の前後方向Ｄの後側に位置するハンドル部６２が、上下方向Ｈにおける外側（下側）へ回動を開始しないようにすることができる。球皿ユニット７１の下方には、球皿ユニット７１の下皿７１２から遊技球を回収するための球箱が配置されることが多い。回動体４におけるハンドル部６２が球箱から遠ざかる正方向Ｒ１へ回動することにより、回動体４が球箱に干渉しないようにすることができる。図３においては、初期位置４０１から回動位置４０２へ回動する回動体４の回動軌跡を矢印Ｋによって示す。
【００５９】
それ故、本形態の遊技機７の操作装置１によれば、小型化を図りつつ、遊技者に大きなインパクトを与えることができ、かつ、可動時に周囲の物体に干渉しにくくすることができる。
【００６０】
図３、図４に示すように、回動体４が回動位置４０２に回動したときに形成される開口スペースＳは大きく、この開口スペースＳへ意図せず遊技球が落下することが想定される。そこで、支持体２における、回動体４が配置される部位の前後方向Ｄの後方壁部２３には、回動体４が回動位置４０２に回動して形成される開口スペースＳへ、上皿７１１又は上方から落下する遊技球を下皿７１２へ流下させるための経路を形成することができる。
【００６１】
また、操作装置１は、遊技機７の下部における球皿ユニット７１に設ける以外にも、例えば、遊技機７の上部や側部等に設けることもできる。
遊技機７が設置される遊技場等の設置環境においては、通常、遊技機７の上方位置には比較的広いスペースが確保されている。そのため、特に、操作装置１を遊技機７の上部（上枠部）に設ける場合には、遊技機７の中心側に向けて回動体４を回動させるだけではなく、遊技機７の外側に向けて回動体４を回動させることも可能である。また、初期位置４０１と回動位置４０２との間における回動体４の回動角度は、１８０〜３００°とすることができる。
【００６２】
また、操作装置１は、前扉７２において、遊技領域を視認するための開口部の周辺から開口部の前方に出現する可動体、又は前扉７２における開口部の前方において可動する可動体等に設けることもできる。また、回動体４は、遊技機７の左右方向Ｗに平行な回動中心部４１の中心軸線Ｃを中心に回動する構成とするだけでなく、例えば、遊技機７の上下方向Ｈに平行な回動中心部４１の中心軸線Ｃを中心に回動する構成とすることもできる。
【００６３】
回動中心部４１の中心軸線Ｃを遊技機７の上下方向Ｈに平行に設ける場合においても、操作装置１は、球皿ユニット７１内に配置することができる。そして、回動体４を初期位置４０１から回動位置４０２に回動させるときには、回動体４を水平方向に回動させて、球皿ユニット７１の前側に突出させることができる。この場合にも、回動体４が球箱等に干渉することを適切に防止することができる。
【００６４】
さらに、回動中心部４１の中心軸線Ｃは、遊技機７の左右方向Ｗ、上下方向Ｈ及び前後方向Ｄの少なくともいずれかに対して傾斜させることもできる。この場合には、回動体４を、初期位置４０１と回動位置４０２との間において、傾斜した状態で回動させることができる。
【００６５】
また、スライド操作部６の操作入力は、押込み操作以外にも、引出し操作、押ボタン操作、回転操作等としてもよい。スライド操作部６の操作入力は、回動体４が初期位置４０１にあるときにも操作可能になるようにしてもよい。
また、本形態の操作装置１は、パチンコ遊技機以外にも、アレンジボール遊技機、スロットマシン、又はその他の遊技機に用いてもよい。
【００６６】
本発明は、本実施形態のみに限定されるものではなく、その要旨を逸脱しない範囲においてさらに異なる実施形態を構成することが可能である。
【符号の説明】
【００６７】
１  操作装置
２  支持体
３  モータユニット
３０  回動阻止機構
３１  モータ
３１２  ねじ歯車
３２  第１伝達軸部
３２１  はすば歯車
３２２  第１歯車
３３  第２伝達軸部
３３１  第２歯車
３３２  第１係止部
３３３  第２係止部
４  回動体
４０１  初期位置
４０２  回動位置
４１  回動中心部
５  回動ベース部
５１  回動軸部
５１１  第３歯車
５１２  第１突起部
５１３  第２突起部
６  スライド操作部
６０１  復帰位置
６０２  スライド位置
６１  前部
６２  ハンドル部
６２０  操作入力部位
７  遊技機
Ｒ１  正方向
Ｒ２  逆方向
【図１】
2018068600.tif 000003
【図２】
2018068600.tif 000004
【図３】
2018068600.tif 000005
【図４】
2018068600.tif 000006
【図５】
2018068600.tif 000007
【図６】
2018068600.tif 000008
【図７】
2018068600.tif 000009
【図８】
2018068600.tif 000010
【図９】
2018068600.tif 000011
【図１０】
2018068600.tif 000012